(57)【要約】【課題】  ディスク回転装置におけるカートリッジの反り現象に伴う回転不能を防止すること。【解決手段】  カートリッジ内に回転自在に収納されるディスクが載置され、駆動部によって回転操作されるディスクテーブルと、該ディスクテーブルの中心部に配設され、前記ディスクの中央部に設けられるクランピングプレートが吸着支持される嵌合体と、前記ディスクテーブル、前記嵌合体及び前記クランピングプレートの中心部に形成される孔部に挿入されると共に当該クランピングプレートから所定長さ突出する前記駆動部の駆動軸とを備え、前記カートリッジが変形しても、当該カートリッジは前記駆動軸の先端部に点接触して前記クランピングプレートから離隔された状態に維持されることにより、カートリッジの反り現象に伴う回転不能を防止することができる。【選択図】  図１
2005285322.tif 000002
【特許請求の範囲】
【請求項１】
カートリッジ内にクランピングプレートを介して回転自在に収納されるディスクが載置され、駆動部によって回転操作されると共にマグネットチャッキング機構を有するディスクテーブルと、
前記駆動部から突出し前記ディスクテーブルの中心部に形成される孔部に挿入される駆動軸と、を備え、
前記マグネットチャッキング機構により前記クランピングプレートが吸着支持されたときに、前記駆動軸の先端が前記クランピングプレートから所定長さ突出するように構成し、前記カートリッジが変形していても、前記駆動軸の先端が当該カートリッジに点接触することにより、当該カートリッジが前記クランピングプレートから隔離された状態に維持されることを特徴とするディスク回転装置。
【発明の詳細な説明】
【技術分野】
【０００１】
本発明は、カートリッジ内に収納したディスクの回転装置に関するものである。
【背景技術】
【０００２】
小型でコンパクトサイズにしたディスクは、図２に示したように、ディスク２が金属製のクランピングプレート３を介してカートリッジ１に回転自在に収納された構成になっており、そのカートリッジ１を適宜の記録又は再生装置に挿着して記録又は再生を行うようにしている。そして、カートリッジ１の表面には表示用のラベル４が貼着されるため、そのラベル貼着領域１ａはラベル４の厚み分だけ薄く形成されている。
【０００３】
このように構成されたカートリッジ１は、図３に示したように、高温環境下において、貼着したラベル４とカートリッジ材料の熱膨張率の差によってカートリッジの一部、特にラベル貼着領域１ａが反る傾向にあり、その反り現象によってカートリッジの一部とディスク２又はクランピングプレート３とが当接し易い状態になり、それを防止するため、ディスク又はクランピングプレートの高さ精度の厳しい要求、及びカートリッジの反りが少なくなるようなラベルの選択が必要とされている。
【発明の開示】
【発明が解決しようとする課題】
【０００４】
しかしながら、カートリッジに収納されたディスクの場合は、反り現象によってクランピングプレートとカートリッジの変形部分が当接した場合に、面接触となるためクランピングプレートに対して負荷モーメントが大きく作用するようになり、ディスクのスムーズで適正な回転に支障を来すばかりでなく、最悪の場合には駆動部のサーボが掛からなくなってしまい回転不能になるという問題点を有しているのである。
【０００５】
更に、使用されるカートリッジにおいては、反りを矯正する手段がなされていないのが実情であり、高温環境下での使用中に反りが生ずることにより、駆動部に対して前記と同様の回転不能の問題点を惹起している。
【０００６】
従って、カートリッジの反り現象に伴う回転不能を防止することに解決しなければならない課題を有している。
【課題を解決するための手段】
【０００７】
前記従来例の課題を解決する具体的手段として本発明は、カートリッジ内に回転自在に収納されるディスクが載置され、駆動部によって回転操作されるディスクテーブルと、該ディスクテーブルの中心部に配設され、前記ディスクの中央部に設けられるクランピングプレートが吸着支持される嵌合体と、前記ディスクテーブル、前記嵌合体及び前記クランピングプレートの中心部に形成される孔部に挿入されると共に当該クランピングプレートから所定長さ突出する前記駆動部の駆動軸とを備え、前記カートリッジが変形されても、当該カートリッジは前記駆動軸の先端部に点接触して前記クランピングプレートから離隔された状態に維持されることを特徴とするディスク回転装置を提供するものである。
【０００８】
更に、内部にクランピングプレートを介してディスクを回転自在に収納させたカートリッジであって、前記クランピングプレートに駆動軸が貫通する孔を設けたことを特徴とするディスクを収納したカートリッジを提供するものである。
【０００９】
カートリッジ式のディスクにおいては、クランピングプレートを貫通してわずかに突出するように駆動軸を設けたことにより、駆動状態にセットされたカートリッジに反り現象があって、カートリッジとクランピングプレートとが当接していても、駆動軸の突出によってカートリッジの反り部分を押し上げて離隔状態に維持し、駆動軸の先端で受けることで点接触となるため負荷モーメントは極めて小さいので、回転装置の駆動部に異状を来さなくなる。
【発明の効果】
【００１０】
本発明に係るディスク回転装置は、カートリッジ内に回転自在に収納されるディスクが載置され、駆動部によって回転操作されるディスクテーブルと、該ディスクテーブルの中心部に配設され、前記ディスクの中央部に設けられるクランピングプレートが吸着支持される嵌合体と、前記ディスクテーブル、前記嵌合体及び前記クランピングプレートの中心部に形成される孔部に挿入されると共に当該クランピングプレートから所定長さ突出する前記駆動部の駆動軸とを備え、前記カートリッジが変形しても、当該カートリッジは前記駆動軸の先端部に点接触して前記クランピングプレートから離隔された状態に維持されることにより、既に反り現象が生じたカートリッジであっても、駆動時にその反り現象を一時的に矯正して適正な駆動が行えるという優れた効果を奏する。
【００１１】
更にまた、反り現象が生じ易い高温環境下においてカートリッジを使用した場合でも、駆動軸によって反り現象が生じ易い部位を適正な状態に維持し続けることにより、適正な駆動を行えるという優れた効果を奏する。
【発明を実施するための最良の形態】
【００１２】
次に本発明を図示の実施例により更に詳しく説明すると、図１に示した実施例は、カートリッジ式のディスクにおけるディスク回転装置に関するものであり、この実施例の場合はマグネットチャッキング機構を備えたものである。尚、使用されるカートリッジは、前記従来例と略同様なものが使用されるので、同一部分には同一符号を付して説明する。
【００１３】
カートリッジ１内には、一般にディスクと称する小径のディスク２がクランピングプレート３を介して回転自在に収納され、カートリッジ１の表面には表示用のラベル４を貼着させる肉薄のラベル貼着領域１ａが形成されている。このカートリッジ１は、勿論従来使用されているものと略同一のアッパーシェル及びロアーシェルとを合体させて形成すると共に、シャッター及びプロテクター等が装備されている。
【００１４】
このようなカートリッジ式のディスクにおいて、ディスク２を駆動するクランピングプレート３の中央部に、駆動軸５の上端部５ａが挿通する孔６を設けてある。
【００１５】
前記駆動軸５は、所定の記録又は再生機器に装備した駆動部７から突出して設けられ、該駆動軸５に所定のマグネットチャッキング機構を有するディスクテーブル９が取り付けられたものである。
【００１６】
そして、カートリッジ１が記録又は再生機器にセットされたときに、マグネットチャッキング機構でクランピングプレート３が吸着支持され、且つ駆動軸５の先端５ａがクランピングプレート３の孔６よりもわずかに突出する長さになるように形成してある。
【００１７】
このように駆動軸５の先端５ａをわずかに長く形成しておくことにより、装着されたカートリッジ１の一部、例えばラベル貼着領域１ａが反り現象によってクランピングプレート３と当接しているか、又は高温環境下において使用する場合に、駆動軸５の先端５ａがラベル貼着領域１ａに当接し押し上げて離隔させるか、又は使用中に反り現象が生じないように、離隔位置が維持できるのである。
【００１８】
従って、使用されるカートリッジにおいて、既に反り現象が生じているもの、又は反り現象が生じ易い高温環境下での使用で、記録又は再生機器にカートリッジをセットさえできれば、駆動軸５の先端５ａがクランピングプレート３からわずかに突出するようになり、反りを矯正又は防止して、常に正常な状態でカートリッジ内のディスク２を駆動することができるのである。
【００１９】
前記いづれの実施例においても、ディスク回転装置における駆動部の駆動軸を所定長さ長く形成することを共通の技術としており、それによって外部からの衝撃を緩衝するだけでなく、装置（カートリッジも含む）が有する不都合を解消させることができるのである。
【図面の簡単な説明】
【００２０】
【図１】本発明の実施の形態に係るディスク回転装置の略示的断面図である。
【図２】従来から一般に使用されているディスクを内蔵したカートリッジの略示的断面図である。
【図３】同カートリッジの反り現象を説明するための略示的断面図である。
【符号の説明】
【００２１】
１  カートリッジ；１ａ  ラベル貼着領域；２  ディスク３  クランピングプレート；４  ラベル；５  駆動軸；６  孔；７  駆動部８  筐体部；９  ディスクテーブル；１０  嵌合体；１１弾性体
【図１】
2005285322.tif 000003
【図２】
2005285322.tif 000004
【図３】
2005285322.tif 000005